(57)【特許請求の範囲】
【請求項１】
構造物の床等にコンクリートスラブを形成する際に型枠として用いられるデッキプレートにおいて、
閉塞された一端から所定の長さにわたって扁平状に押し潰されてそれぞれ平坦部が形成されるとともに他端が開放された第１の角パイプ及び第２の角パイプと、
前記第１の角パイプの上面が前記他端から所定の長さまでの範囲を除いて下面に接合される第１の平板と、
前記第２の角パイプの上面が下面に接合される第２の平板と、
前記第１の角パイプの前記他端に設置される蓋体と、を備え、
前記第１の角パイプは前記第２の角パイプに前記他端側から挿通可能に形成され、
前記第１の角パイプ及び前記第２の角パイプは前記他端同士が挿通可能に前記第１の平板及び前記第２の平板に対してそれぞれ接合され、
前記蓋体は前記第２の角パイプの開口部を閉塞可能に形成されることを特徴とするデッキプレート。
【請求項２】
前記蓋体が、前記第１の角パイプに嵌入される嵌合部と、この嵌合部に接合され弾性部材によって形成される閉塞部と、からなることを特徴とする請求項１記載のデッキプレート。
【請求項３】
前記閉塞部が前記嵌合部に対して接合される代わりに、着脱可能に取り付けられることを特徴とする請求項２記載のデッキプレート。
【請求項４】
前記第２の角パイプに対し、側面や下面に空気抜き用の貫通穴が設けられることを特徴とする請求項１乃至請求項３のいずれか１項に記載のデッキプレート。
【請求項５】
前記第１の角パイプ及び前記第２の角パイプの内部にそれぞれ前記一端の近傍から長手方向に沿って少なくとも前記平坦部を超えるように長尺部材が内部に設置されることを特徴とする請求項１乃至請求項４のいずれか１項に記載のデッキプレート。
【発明の詳細な説明】
【技術分野】
【０００１】
本発明は、建築物の床や天井等にコンクリート製のスラブを形成する際に用いられるデッキプレートに係り、特に、スラブ施工後の回収時における破損事故を防ぐことが可能なデッキプレートに関する。
【背景技術】
【０００２】
鉄筋コンクリートや鉄骨鉄筋コンクリートを構造材料とする建築物では、梁の上などに仮設された型枠にコンクリートを打設するようにして、床や天井等にスラブが形成される。型枠には、鋼製の板材を加工したデッキプレートが用いられる場合が多い。
このデッキプレートは、コンクリートが硬化した時点でその役割を終えるため、スラブの施工が完了した段階で速やかにコンクリートから分離・回収して、再利用を図ることが望ましい。
【０００３】
例えば、特許文献１には、全体の長さの調節を効率良く行うことができるとともに、コンクリートスラブを施工した後に回収して複数回繰り返して利用できるデッキプレートとその製造方法に関する発明が記載されている。
ここで、特許文献１に記載されたデッキプレートについて、図５乃至図７を用いて説明する。ただし、図５（ａ）は従来技術に係るデッキプレートの側面図であり、図５（ｂ）及び図５（ｃ）は図５（ａ）に示したデッキプレートを構成する２種類の型枠部材の平面図である。また、図６（ａ）及び図６（ｃ）は型枠部材の外観斜視図であり、図６（ｂ）及び図６（ｄ）はそれぞれ図６（ａ）におけるＢ−Ｂ線矢視断面図及び図６（ｃ）におけるＣ−Ｃ線矢視断面図である。さらに、図７（ａ）乃至図７（ｃ）は図５（ａ）に示したデッキプレートが回収される際の状態を説明するための図である。
なお、図５（ｂ）及び図５（ｃ）は図５（ａ）において矢印Ａで示す方向に見たデッキプレート５１を型枠部材５２，５３に分解した状態を示す図に相当する。
【０００４】
図５及び図６に示すように、デッキプレート５１は、上面５４ａ，５５ａがコンクリートを打設する際に成型面となる平板５４，５５と、この平板５４，５５の下面５４ｂ，５５ｂに溶接や接着あるいはリベットやビスによって固定される角パイプ５６，５７によって構成される厚さ０．８ｍｍ程度の鋼板製の型枠部材５２，５３からなる。
角パイプ５６，５７はいずれも一端が扁平状に押圧変形されており、この端部（以下、扁平端５６ｂ，５７ｂという。）を閉塞するように鋼板製の長尺部材５８（図６（ｂ）及び図６（ｄ）参照）がその内部に挿設されている。そして、角パイプ５６の外径は角パイプ５７の内径よりも小さく、開口端５６ａは開口端５７ａに対して挿通可能に形成されている。
【０００５】
角パイプ５６の上面５６ｃは平板５４に対し、長手方向の中央付近と扁平端５６ｂの近傍の２か所がスポット溶接されており、角パイプ５７の上面５７ｃは平板５５に対し、長手方向の中央付近と両端近傍の３か所がスポット溶接されている。そして、角パイプ５６の両側面には、角パイプ５６が角パイプ５７の内部へ所定の長さだけ挿入された時点で角パイプ５７の開口端５７ａの端縁に係止するように一対の係止部材５９，５９（図５（ｂ）参照）が設けられている。これにより、型枠部材５２は、型枠部材５３の角パイプ５７の内部に角パイプ５６を挿通するようにして、平板５４の下面５４ｂと角パイプ５６の上面５６ｃの間に、平板５５を所定の長さだけ挿入可能となっている。
なお、平板５４，５５は厚さが０．８ｍｍ程度と薄いため、平板５４の下面５４ｂと角パイプ５６の上面５６ｃの間に平板５５を挿入して平板５４，５５の一部を重ね合わせた後、上面５４ａ，５５ａにコンクリートを打設した場合でも、平板５４の下面５４ｂと平板５５の上面５５ａの間にコンクリートが入り込むおそれはない。
【０００６】
このように、デッキプレート５１は、角パイプ５６の開口端５６ａを角パイプ５７の開口端５７ａの内部に挿入するようにして型枠部材５２を型枠部材５３に連結し、図５（ａ）に矢印Ｘで示すように型枠部材５２，５３を互いにスライドさせることにより、全長を容易に調節可能な構造となっている。そのため、デッキプレート５１は、コンクリートスラブから分離し、回収した後の利用範囲が広く、再利用に適している。
【先行技術文献】
【特許文献】
【０００７】
【特許文献１】国際公開第２０１５／０２９１９７号パンフレット
【発明の概要】
【発明が解決しようとする課題】
【０００８】
特許文献１に開示された発明に係るデッキプレートは、スラブ施工後にコンクリートから分離された後、そのままでは嵩張るため、通常、型枠部材５２を型枠部材５３に対してスライドさせて全長を短くする作業が行われる。例えば、コンクリートから分離されたデッキプレートは、一端が地面等に接地されるなどして固定されるとともに、全体が鉛直方向と平行をなすような姿勢で保持される。
そして、この状態で型枠部材５２の保持を止めると、図７（ａ）に矢印Ｙで示すように、型枠部材５３の上方に配置された型枠部材５２は、角パイプ５７の開口端５７ａの端縁に角パイプ５６の係止部材５９が係止するまで自重によって落下し、図７（ｂ）に示した状態となる。
【０００９】
ただし、型枠部材５２が勢いよく落下しすぎると、図７（ｃ）に示すように、係止部材５９によって角パイプ５７の開口端５７ａ（図５（ａ）参照）の一部が破損したり、平板５４において係止部材５９に最も近い箇所のスポット溶接が剥がれたりするおそれがある。そのため、従来、作業者が型枠部材５２を手で支えるなどして、型枠部材５２が落下する勢いを加減したり、デッキプレート５１を水平に設置して型枠部材５２を型枠部材５３に対して水平移動させたりするなどの方法がとられていたが、このような方法では作業効率が著しく低いという課題があった。
【００１０】
本発明は、このような従来の事情に対処してなされたものであり、スラブ施工後にコンクリートから分離して効率よく回収することが可能なデッキプレートを提供することを目的とする。
【課題を解決するための手段】
【００１１】
上記目的を達成するため、第１の発明は、構造物の床等にコンクリートスラブを形成する際に型枠として用いられるデッキプレートにおいて、閉塞された一端から所定の長さにわたって扁平状に押し潰されてそれぞれ平坦部が形成されるとともに他端が開放された第１の角パイプ及び第２の角パイプと、第１の角パイプの上面が他端から所定の長さまでの範囲を除いて下面に接合される第１の平板と、第２の角パイプの上面が下面に接合される第２の平板と、第１の角パイプの他端に設置される蓋体と、を備え、第１の角パイプは第２の角パイプに他端側から挿通可能に形成され、第１の角パイプ及び第２の角パイプは他端同士が挿通可能に第１の平板及び前記第２の平板に対してそれぞれ接合され、蓋体は第２の角パイプの開口部を閉塞可能に形成されることを特徴とするものである。
【００１２】
このような構造のデッキプレートにおいては、開放された端部側から第２の角パイプに第１の角パイプを挿通させると、蓋体によって第２の角パイプの開口部が閉塞される。そして、この状態で第１の角パイプを前進させようとすると、第２の角パイプの内部に閉じ込められた空気が圧縮されて、その圧力が上昇し、第１の角パイプに対する制動力が発生する。
【００１３】
例えば、第２の角パイプの扁平端側を床面等に接地するなどして固定するとともに、全体が鉛直方向と平行をなすように、上記構造のデッキプレートを保持した状態で、上方に配置された第１の角パイプ及び第１の平板の保持を止めると、第１の角パイプ及び第１の平板は自重によって下降し始めるが、第２の角パイプ内に閉じ込められた上記空気に起因する制動力によって、第１の角パイプ及び第１の平板の下降速度が低下する。したがって、第１の角パイプ及び第１の平板は、第２の角パイプの開口端の破損、あるいは第１の平板の溶接箇所の剥離等の不具合を生じさせることなく、所定の位置まで安全に下降する。
【００１４】
また、第２の発明は、第１の発明において、蓋体が、第１の角パイプに嵌入される嵌合部と、この嵌合部に接合され弾性部材によって形成される閉塞部と、からなることを特徴とするものである。
このような構造のデッキプレートにおいては、第１の発明の作用に加えて、第１の角パイプを第２の角パイプに対してスライドさせる際に、弾性部材からなる閉塞部が適宜変形することにより第２の角パイプの内面との接触状態を保ちつつ、その内面に沿って摺動するという作用を有する。これにより、第２の角パイプの開口部は閉塞部によって確実に閉塞される。
【００１５】
また、閉塞部を角パイプに固定する嵌合部は、閉塞部と別部材であるため、例えば、嵌合部を閉塞部よりも剛性の高い部材によって形成することが可能である。このような構造によれば、第１の角パイプに対する閉塞部の位置決めの精度が向上する。その結果、閉塞部によって第２の角パイプの開口部を閉塞するという作用がより一層確実に発揮される。
【００１６】
第３の発明は、第２の発明において、閉塞部が嵌合部に対して接合される代わりに、着脱可能に取り付けられたことを特徴とするものである。
上記構造のデッキプレートにおいて、第２の発明の場合と同様に、第１の角パイプを第２の角パイプに対してスライドさせると、閉塞部は第２の角パイプの内面に沿って摺動するため、蓋体を繰り返し使用しているうちに、第２の角パイプとの間の摩擦によって摩耗してしまう。このように閉塞部が摩耗した場合、第２の発明では、蓋体ごと交換しなければならないのに対し、上記構造であれば、閉塞部のみを交換することができる。したがって、本発明は、第２の発明に比べて保守作業が容易である。
【００１７】
第４の発明は、第１の発明乃至第３の発明のいずれかにおいて、第２の角パイプに対し、側面や下面に空気抜き用の貫通穴が設けられたことを特徴とするものである。
上記構造のデッキプレートにおいて、第２の角パイプの扁平端側を床面等に接地するなどして固定した状態で、全体が鉛直方向と平行をなすように設置し、さらに、上方に配置された第１の角パイプ及び第１の平板の保持を止めると、蓋体が貫通穴の設けられた箇所の上方に位置している間は、第１の角パイプの下降に伴って第２の角パイプの内部の空気が貫通穴から外部へ追い出されるため、第２の角パイプの内部の空気が圧縮されることはなく、第１の角パイプに対する制動力は発生しない。
一方、貫通穴が設けられた箇所を蓋体が通過した後は、第２の角パイプの内部の空気が第１の角パイプの下降に伴って圧縮されるため、第１の角パイプに対する制動力が発生する。すなわち、上記構造のデッキプレートにおいては、第１の発明乃至第３の発明の作用に加えて、貫通穴を設ける位置によって、第１の角パイプの下降に伴って制動力が発生するタイミングが異なるという作用を有する。
【００１８】
第５の発明は、第１の発明乃至第４の発明のいずれかにおいて、第１の角パイプ及び第２の角パイプの内部にそれぞれ一端の近傍から長手方向に沿って少なくとも平坦部を超えるようにそれぞれ内部に設置される長尺部材を備えたことを特徴とするものである。
上記構造のデッキプレートでは、第１の角パイプ及び第２の角パイプの下面が、扁平状に押し潰された一端から長手方向に沿って所定の長さにわたって平坦部及びそれに続く傾斜部を有することになる。そして、この平坦部が角材の上面に載置された状態で第１の平板及び第２の平板の上面にコンクリートが打設される。その際、平坦部と傾斜部の境目において応力集中が起き易いが、上記構造であれば、長尺部材が平坦部と傾斜部の境目における剛性を高めるように作用する。すなわち、本発明においては、第１の発明乃至第４の発明の作用に加え、平坦部と傾斜部の境目における剛性が高いため、第１の角パイプ及び第２の角パイプに破損や変形が発生し難いという作用を有する。
【発明の効果】
【００１９】
以上説明したように、第１の発明によれば、コンクリートスラブから分離した後、第２の角パイプの扁平端側を接地するなどして固定した状態で、第１の平板及び第２の平板が鉛直方向に対して平行をなすように設置し、上方に配置された第１の角パイプ及び第１の平板の保持を止めると、第２の角パイプの内部に閉じ込められた空気が圧縮されることによって第１の角パイプ及び第１の平板に対する制動力が発生し、第１の角パイプ及び第１の平板の下降速度が低下するため、作業者が第１の角パイプや第１の平板を手で支えるなどして、その下降速度を調節する必要がない。したがって、本発明によれば、回収作業の効率を格段に高めることができる。
【００２０】
第２の発明によれば、蓋体を構成する閉塞部によって第２の角パイプの内面が確実に閉塞されるため、第１の平板及び第２の平板が鉛直方向に対して平行をなすように設置して、上方に配置された第１の角パイプと第１の平板を自重により落下させて、デッキプレートの全長を短くする作業を行う際に、第２の角パイプの内部に閉じ込められた空気が圧縮されることで第１の角パイプ及び第１の平板に対する制動力が発生するという上述の作用が確実に発揮されるため、作業者が第１の角パイプや第１の平板を手で支えるなどして、その下降速度を調節する必要がなく、回収作業の効率を格段に高めることができるという第１の発明の効果がより一層発揮される。
【００２１】
第３の発明によれば、第２の発明の効果に加え、保守作業が容易であるため、当該作業に要する費用が削減されるという効果を奏する。
【００２２】
第４の発明によれば、第１の発明乃至第３の発明の効果に加えて、鉛直方向と平行に設置して、上方に配置された第１の角パイプ及び第１の平板を自重により落下させて全長を短くする作業を行う際に、下方に配置された第２の角パイプの破損や第１の平板の剥離といった不具合を招くことなく、当該作業に要する時間を短縮することができる。これにより、デッキプレートの回収作業をより一層効率的に行うことが可能となる。
【００２３】
第５の発明によれば、第１の発明乃至第４の発明の効果に加え、第１の角パイプ及び第２の角パイプに破損や変形が発生し難いため、複数回繰り返して利用できるという効果を奏する。
【図面の簡単な説明】
【００２４】
【図１】（ａ）は本発明の実施の形態に係るデッキプレートの実施例１を構成する型枠部材の外観斜視図であり、（ｂ）は同図（ａ）のＤ−Ｄ線矢視断面図であり、（ｃ）は同図（ａ）又は同図（ｂ）に示した蓋体の外観斜視図である。
【図２】（ａ）乃至（ｃ）は図１に示したデッキプレートの断面を部分的に拡大して示した図である。
【図３】（ａ）及び（ｂ）は図２に示した型枠部材の変形例を示した図である。
【図４】（ａ）は本発明の実施の形態に係るデッキプレートの実施例２を構成する蓋体の外観斜視図であり、（ｂ）及び（ｃ）はそれぞれ同図（ａ）に示した蓋体を構成する嵌合部及び閉塞部の外観斜視図である。
【図５】（ａ）は従来技術に係るデッキプレートの側面図であり、（ｂ）及び（ｃ）は同図（ａ）に示したデッキプレートを構成する２種類の型枠部材の平面図である。
【図６】（ａ）及び（ｃ）は従来技術に係るデッキプレートを構成する型枠部材の外観斜視図であり、（ｂ）及び（ｄ）はそれぞれ同図（ａ）におけるＢ−Ｂ線矢視断面図及び同図（ｃ）におけるＣ−Ｃ線矢視断面図である。
【図７】（ａ）乃至（ｃ）は図５（ａ）に示したデッキプレートが回収される際の状態を説明するための図である。
【発明を実施するための形態】
【００２５】
本発明のデッキプレートについて、図１〜図４を参照しながら具体的に説明する。なお、蓋体を構成する嵌合部や閉塞部の形状、あるいは角パイプに設けられる空気抜き用の貫通穴の位置については、本実施例で示した場合に限定されるものではなく、適宜変更可能である。
【実施例１】
【００２６】
図１（ａ）は本実施例のデッキプレートを構成する型枠部材の外観斜視図であり、図１（ｂ）は図１（ａ）のＤ−Ｄ線矢視断面図であり、図１（ｃ）は図１（ａ）又は図１（ｂ）に示した蓋体の外観斜視図である。なお、図１（ａ）及び図１（ｂ）は図６（ａ）及び図６（ｂ）にそれぞれ対応している。
また、図２（ａ）乃至図２（ｃ）は図１に示したデッキプレートの断面を部分的に拡大して示した図であり、図１（ｂ）において型枠部材５２に型枠部材５３を追加した図に相当する。ただし、図２（ａ）はデッキプレートが水平に設置された状態を表し、図２（ｂ）及び図２（ｃ）はデッキプレートが鉛直方向と平行に設置された状態を表している。
さらに、図３（ａ）及び図３（ｂ）は図２に示した型枠部材の変形例を示した図であり、図２（ｂ）及び図２（ｃ）にそれぞれ対応している。なお、図５〜図７に示した構成要素については同一の符号を付してその説明を省略する。
【００２７】
図１（ａ）乃至図１（ｃ）に示すように、本発明のデッキプレートは、従来技術に係るデッキプレート５１（図５を参照）において、型枠部材５３を構成する角パイプ５７（図５を参照）の開口部を閉塞可能に蓋体１ａが型枠部材５２の角パイプ５６に設けられたことを特徴としている。なお、蓋体１ａは、角パイプ５６に嵌入される合成樹脂製の嵌合部２と、矩形平板状をなすゴム製の閉塞部３と、からなる。
【００２８】
嵌合部２は、平面視矩形状をなす底板２ａに４枚の側板２ｂが立設され、側板２ｂの外面には、底板２ａに接続される基端側よりも先端側が薄肉となるように側面視楔状に形成されたテーパーリブ２ｃがそれぞれ設けられ、側板２ｂの内側には、底板２ａに立設される補強リブ２ｄ，２ｄが平面視十字をなすように設けられている。
一方、閉塞部３は、角パイプ５７（図５を参照）に内挿された場合に、その内面に対して４つの側面がそれぞれ当接可能な大きさに形成されており、嵌合部２とともに角パイプ５６に装着された状態で角パイプ５７に内挿された場合、図２（ａ）に示すように、嵌合部２の底板２ａから四方にはみ出した部分によって角パイプ５６の外面と角パイプ５７の内面の隙間を閉塞可能に、底板２ａの外面に接着剤等を用いて接合されている。
【００２９】
上記構造のデッキプレートにおいて、角パイプ５７（図５を参照）の扁平端５７ｂ（図５を参照）側を床面等に接地するなどして固定するとともに、全体が鉛直方向と平行をなすように設置した後、型枠部材５２の保持を止めると、図２（ｂ）に矢印Ｙで示すように、上方に配置された型枠部材５２は、自重によって下降し始める。そして、扁平端５７ｂ側が長尺部材５８によって閉塞された角パイプ５７の内部の空気は、開口端５７ａ側を閉塞する蓋体１ａの下降によって圧縮され、その圧力が上昇する。そして、この圧力が制動力となって角パイプ５６を押し戻す方向へ作用する。その結果、型枠部材５２の下降速度が低下する。
したがって、型枠部材５２は、係止部材５９によって角パイプ５７の開口端５７ａの一部を破損させたり、平板５４のスポット溶接を剥離させたりすることなく、角パイプ５７の開口端５７ａの端縁に角パイプ５６の係止部材５９が係止する状態（図２（ｃ）参照）となるまで安全に下降する。
【００３０】
また、蓋体１ａは角パイプ５６に対して嵌合部２を嵌入させるようにして取り付けられる構造であるため、角パイプ５６に対する取り付けや取り外しが容易である。したがって、型枠部材５２を繰り返し使用している間に蓋体１ａが破損した場合には、角パイプ５６から嵌合部２を抜出するようにして古い蓋体１ａを取り外して新しい蓋体１ａと簡単に交換することができる。また、型枠部材５２を交換する必要がある場合には、使用済みの型枠部材５２から蓋体１ａを簡単に取り外して別の型枠部材５２に取り付けることができる。
【００３１】
さらに、蓋体１ａにおいて、弾性部材からなる閉塞部３は、角パイプ５６をスライドさせる際に、適宜変形することにより角パイプ５７の内面との接触状態を保ちつつ、その内面に沿って摺動するという作用を有する。したがって、角パイプ５７の開口部は閉塞部３によって確実に閉塞される。
一方、閉塞部３を角パイプ５６に固定する嵌合部２は、閉塞部３と別部材であるため、例えば、嵌合部２を閉塞部３よりも剛性の高い部材によって形成することができる。このような構造によれば、角パイプ５６に対する閉塞部３の位置決めの精度が向上する。その結果、閉塞部３によって角パイプ５７の開口部を閉塞するという作用がより一層確実に発揮される。
【００３２】
このように、本発明のデッキプレートにおいては、コンクリートスラブから分離して、鉛直方向に対して平行をなすような姿勢で保持した際に、角パイプ５７の内部に閉じ込められた空気が圧縮されることにより角パイプ５６と平板５４に対する制動力が発生し、型枠部材５２の下降速度が低下するため、作業者が型枠部材５２を手で支えるなどして、その下降速度を調節する必要がない。したがって、本発明のデッキプレートによれば、回収作業の効率を格段に高めることができる。
【００３３】
本実施例では、角パイプ５６，５７の扁平端５６ｂ，５７ｂを閉塞するように長尺部材５８がその内部に挿設されているが、長尺部材５８を備えることなく、単に扁平端５６ｂ，５７ｂが閉塞された構造とすることもできる。ただし、本発明のデッキプレートでは、角パイプ５６，５７の下面が扁平端５６ｂ，５７ｂから長手方向に沿って所定の長さにわたって平坦部及びそれに続く傾斜部を有することになり、この平坦部が角材の上面に載置された状態で平板５４，５５の上面５４ａ，５５ａにコンクリートが打設される際、平坦部と傾斜部の境目において応力集中が起き易い。しかし、上記構造であれば、この部分の剛性が高いため、角パイプ５６，５７に破損や変形が生じ難い。したがって、できるだけ本実施例で示したように長尺部材５８を設置する構造にすることが望ましい。
そして、このような構造によれば、デッキプレートを複数回繰り返して利用することができる。なお、本実施例では長尺部材５８を鋼板製としているが、これに限定されるものではなく、例えば、長尺部材５８はアルミニウム等の金属や繊維強化樹脂等の成形品であっても良い。
【００３４】
なお、閉塞部３によって角パイプ５７の開口部を閉塞する代わりに、閉塞部３の角パイプ５７の内面に対する接触面積を大きくして、角パイプ５７の内面と閉塞部３の側面の間の摩擦力を高めることで、角パイプ５６の下降速度を低下させるという方法も考えられる。ただし、閉塞部３と角パイプ５７の間の摩擦力が高すぎると、型枠部材５３に対して型枠部材５２を前進させる場合及び後退させる場合のいずれの場合に対しても上記摩擦力が大きな抵抗となるため、型枠部材５２をスライドさせる作業が困難となったり、当該作業の途中で蓋体１ａが角パイプ５６から外れたりするなどしてスライドデッキの全長を調節する際の作業性が著しく低下する可能性が高い。また、角パイプ５７の内面との摩擦に伴って閉塞部３の劣化が早まり、蓋体１ａの寿命が短くなってしまうおそれもある。これに対し、本願発明のスライドデッキであれば、角パイプ５７の内面と閉塞部３の側面の間の摩擦力を高くする必要がないため、このような不具合は生じない。
【００３５】
本実施例では、嵌合部２を合成樹脂製としているが、これに限定されるものではなく、例えば、嵌合部２はアルミニウムや鉄鋼等の金属製であっても良い。
あるいは、図３（ａ）及び図３（ｂ）に示すように、角パイプ５７の下面５７ｄに空気抜き用の貫通穴５７ｅを設けた構造とすることもできる。なお、図３には示していないが、下面５７ｄに限らず、角パイプ５７の側面に設けた構造であっても良い。
【００３６】
このような構造のデッキプレートに対し、角パイプ５７の扁平端５７ｂ側を床面等に接地するなどして固定するとともに、全体が鉛直方向と平行をなすような姿勢で保持した状態から型枠部材５２の保持を止めると、図３（ａ）に示すように、蓋体１ａが貫通穴５７ｅの設けられた箇所の上方に位置している間は、型枠部材５２の下降に伴って角パイプ５７の内部の空気が貫通穴５７ｅから外部へ追い出される。この場合、角パイプ５７の内部の空気が圧縮されないため、角パイプ５６に対する制動力は発生せず、型枠部材５２の下降速度が低下するという現象は起こり得ない。
これに対し、図３（ｂ）に示すように、貫通穴５７ｅが設けられた箇所を蓋体１ａが通過した後は、角パイプ５７の内部の空気が型枠部材５２の下降に伴って圧縮されるため、角パイプ５６に対する制動力が発生し、型枠部材５２は下降速度が低下する。すなわち、上記構造のデッキプレートにおいては、貫通穴５７ｅを設ける位置によって、型枠部材５２の下降に伴って角パイプ５６に対する制動力が発生するタイミングが異なるという作用を有する。したがって、角パイプ５７の破損や平板５４の剥離といった不具合を招くことなく、型枠部材５２の下降に要する時間を短縮して、デッキプレートの回収作業のさらなる効率化を図ることができる。
【実施例２】
【００３７】
図４（ａ）は本実施例のデッキプレートを構成する蓋体の外観斜視図であり、図４（ｂ）及び図４（ｃ）はそれぞれ図４（ａ）に示した蓋体を構成する嵌合部及び閉塞部の外観斜視図である。なお、図１〜図３に示した構成要素については同一の符号を付してその説明を省略する。
図４（ａ）乃至図４（ｃ）に示すように、本実施例のデッキプレートは実施例１のデッキプレートにおいて蓋体１ａの代わりに、角パイプ５６に嵌入可能に形成される合成樹脂製の嵌合部４と、この嵌合部４に対して着脱自在に取り付けられるゴム製の閉塞部５と、からなる蓋体１ｂを備えた構造となっている。
【００３８】
嵌合部４では、平面視矩形状をなす底板４ａに４枚の側板４ｂが立設され、底板４ａに接続される基端側よりも先端側が薄肉となるように側面視楔状に形成されたテーパーリブ４ｃが側板４ｂの外面にそれぞれ設けられ、底板４ａに立設される補強リブ４ｄ，４ｄが平面視十字をなすように側板４ｂの内側に設けられている。また、嵌合部４には、一対の平行な側板４ｂ，４ｂに平面視略円形状をなす一対の切欠き４ｅ，４ｅがそれぞれ対向するように設けられ、底板４ａには、細長い一対の切欠き４ｆ，４ｆが切欠き４ｅの一部と繋がるように形成されており、切欠き４ｅ，４ｆが一体となって鍵穴状の係止穴６を構成している。
【００３９】
一方、閉塞部５は、嵌合部４の係止穴６に対して係止可能に形成される一対の係止部５ａ，５ａが平面視矩形状をなす底板５ｂの片面に設けられた構造となっている。なお、底板５ｂは、嵌合部４の底板４ａと大きさ及び形状が同一の上板７と、嵌合部２の底板２ａと大きさと形状が同一の下板８からなる段付き板であって、係止部５ａ，５ａは上板７の底板４ｂに対する当接面に設けられている。すなわち、蓋体１ｂは、係止穴６に係止部５ａを係止させることで、嵌合部４と閉塞部５が一体化する構造となっている。
なお、本実施例では、上板７の大きさと形状を嵌合部４の底板４ａと同一としているが、上板７が少なくとも嵌合部４の底板４ａよりも小さければ、角パイプ５６に内挿可能となるため、その場合には必ずしも上板４は底板４ａと大きさ及び形状が同一でなくとも良い。また、係止部５ａ及び係止穴６は本実施例に示した個数に限定されるものではなく、適宜変更可能である。
【００４０】
本発明のデッキプレートにおいて、型枠部材５２を型枠部材５３に対してスライドさせた場合、閉塞部５は角パイプ５７の内面に沿って摺動する。そのため、蓋体１ｂを繰り返し使用しているうちに、閉塞部５は角パイプ５７の内面との間の摩擦によって摩耗してしまう。実施例１のデッキプレートでは、閉塞部３が摩耗した場合、蓋体１ａごと交換する必要があるのに対し、上述のデッキプレートでは、閉塞部５のみを交換することができる。すなわち、上記構造であれば、嵌合部４を交換する必要がない場合には、閉塞部５のみを交換すれば良いため、保守作業が容易である。したがって、本実施例のデッキプレートによれば、当該作業に要する費用を安く抑えることができる。
【産業上の利用可能性】
【００４１】
請求項１乃至請求項５に記載された発明は、多層建築物の床や天井等にコンクリートスラブを施工する場合に適用可能である。
【符号の説明】
【００４２】
１ａ，１ｂ…蓋体  ２…嵌合部  ２ａ…底板  ２ｂ…側板  ２ｃ…テーパーリブ  ２ｄ…補強リブ  ３…閉塞部  ４…嵌合部  ４ａ…底板  ４ｂ…側板  ４ｃ…テーパーリブ  ４ｄ…補強リブ  ４ｅ，４ｆ…切欠き  ５…閉塞部  ５ａ…係止部  ５ｂ…底板  ６…係止穴  ７…上板  ８…下板  ５１…デッキプレート  ５２，５３…型枠部材  ５４，５５…平板  ５４ａ，５５ａ…上面  ５４ｂ，５５ｂ…下面  ５６，５７…角パイプ  ５６ａ，５７ａ…開口端  ５６ｂ，５７ｂ…扁平端  ５６ｃ，５７ｃ…上面  ５７ｄ…下面  ５７ｅ…貫通穴  ５８…長尺部材  ５９…係止部材        
【図１】
0006348467.tif 000002
【図２】
0006348467.tif 000003
【図３】
0006348467.tif 000004
【図４】
0006348467.tif 000005
【図５】
0006348467.tif 000006
【図６】
0006348467.tif 000007
【図７】
0006348467.tif 000008